(57)【要約】【課題】モニタ装置と一体型の映像再生装置において、自機で再生した映像信号を正常にライン出力することができない場合でも、ユーザが、故障が発生したために出力することができないか、元々の仕様でその種類の映像信号を出力することができないようになっているのかを、容易に判別できるようにする。【解決手段】マイクロプロセッサ４は、映像信号がライン出力されているときに、信号制御回路５から通知された映像信号がライン出力されているという情報と、メモリ１３上に記憶しておいた、選択された映像信号の種類の情報とに基いて、どの種類の映像信号がライン出力されているかを検知する。そして、どの種類の映像信号がライン出力されているかをユーザに知らせるためのメッセージ（文字情報）を、メモリ１３から読み出して、読み出した文字情報を、ＯＳＤ部１４を用いて本来の映像信号に重畳させてモニタ装置２の画面２１上に表示する。【選択図】図１
2006025197.tif 000002
【特許請求の範囲】
【請求項１】
複数の種類の映像信号を再生する再生手段と、
前記再生手段により再生可能な複数の種類の映像信号の中から、再生対象となる一種類の映像信号の選択操作をするための信号選択手段と、
前記信号選択手段により選択された映像信号に基づいて原色信号を再生する色再生回路と、
前記色再生回路により再生された原色信号に文字等の映像信号を重畳させるオンスクリーンディスプレイ手段と、
前記色再生回路により再生された原色信号、又は前記オンスクリーンディスプレイ手段により文字等の映像信号を重畳させられた後の原色信号を表示するモニタ装置と、
前記信号選択手段により選択された映像信号をライン出力するライン出力手段と、
前記信号選択手段により選択された映像信号を、前記モニタ装置だけに出力するか、又は前記モニタ装置と前記ライン出力手段に出力するかを切り替えると共に、前記信号選択手段により選択された特定の種類の映像信号のみを前記モニタ装置又は／及び前記ライン出力手段に出力する信号制御手段と、
装置全体の制御を行う制御手段とを備えた、モニタ装置と一体型の映像再生装置において、
前記ライン出力手段により映像信号がライン出力されているときに、
前記信号制御手段は、映像信号がライン出力されているという情報を前記制御手段に通知し、
前記制御手段は、前記信号制御手段から通知された映像信号がライン出力されているという情報と、前記信号選択手段により選択された映像信号の種類とに基いて、どの種類の映像信号が出力されているかという情報を前記オンスクリーンディスプレイ手段により前記モニタ装置上に表示することを特徴とする映像再生装置。
【請求項２】
複数の種類の映像信号を再生する再生手段と、
前記再生手段により再生可能な複数の種類の映像信号の中から、再生対象となる一種類の映像信号の選択操作をするための信号選択手段と、
前記信号選択手段により選択された映像信号に基づいて原色信号を再生する色再生回路と、
前記色再生回路により再生された原色信号を表示するモニタ装置と、
前記信号選択手段により選択された映像信号をライン出力するライン出力手段と、
前記信号選択手段により選択された映像信号を、前記ライン出力手段に出力するか否かを切り替えると共に、前記信号選択手段により選択された特定の種類の映像信号のみを前記ライン出力手段に出力する信号制御手段と、
装置全体の制御を行う制御手段とを備えた、モニタ装置と一体型の映像再生装置において、
前記ライン出力手段により映像信号がライン出力されているときに、
前記制御手段は、どの種類の映像信号が出力されているかという情報を出力することを特徴とする映像再生装置。
【請求項３】
前記色再生回路により再生された原色信号に文字等の映像信号を重畳させるオンスクリーンディスプレイ手段をさらに備え、
前記制御手段は、どの種類の映像信号が出力されているかという情報を前記オンスクリーンディスプレイ手段により前記モニタ装置上に出力表示することを特徴とする請求項２に記載の映像再生装置。
【請求項４】
前記再生手段により再生可能な複数の種類の映像信号のうち、どの種類の映像信号が出力されているかという情報を表示するためのＬＥＤ（Light-Emitting Diode）部をさらに備え、
前記制御手段は、出力されている映像信号の種類に応じて、前記ＬＥＤ部の表示内容を変更することを特徴とする請求項２に記載の映像再生装置。
【請求項５】
前記制御手段による制御に基いて音声を出力する音声出力手段をさらに備え、
前記制御手段は、どの種類の映像信号が出力されているかという情報を前記音声出力手段により音声で出力することを特徴とする請求項２に記載の映像再生装置。
【発明の詳細な説明】
【技術分野】
【０００１】
本発明は、ＤＶＤ（Digital Versatile Disc），ＶＣＲ（Video Cassette Recorder）等のプレーヤを内蔵したテレビジョン受像機等の、モニタ装置と一体型の映像再生装置に関する。
【背景技術】
【０００２】
従来より、テレビジョン放送信号に加えて、ＤＶＤ，ＶＣＲ等の複数の映像信号を再生する機能を有するコンビネーションタイプの映像再生装置がある。このコンビネーションタイプの映像再生装置のうち、テレビデオ等のモニタ装置と一体型の映像再生装置では、再生した映像信号を必ずしもライン出力できる仕様になっていない。この理由は、再生した映像信号を自機のモニタ装置に出力表示するだけの場合と比べて、再生した映像信号をライン出力する場合には、機器間の互換性確保や、出力信号に要求されるスペックのクリア等のために、より多くの回路が必要になり、コストが高くなるからである。
【０００３】
ところが、上記のような従来のモニタ装置と一体型の映像再生装置では、自機で再生した映像信号を必ずしもライン出力することができる仕様になっていない。このため、この種の映像再生装置が、自機で再生した特定の種類の映像信号を外部の表示装置（大画面モニタやプロジェクタ等）に出力表示することができない場合でも、ユーザは、ライン出力用のケーブルや外部の表示装置等に故障が発生したために、外部の表示装置に出力表示することができないのか、元々の仕様で該当の種類の映像信号をライン出力することができないようになっているために、外部の表示装置に出力表示することができないのかを容易に判別することができない。
【０００４】
ところで、テレビジョン受像機の分野において、接続された複数の映像再生装置の接続状況や動作状況をＣＲＴ（Cathode Ray Tube）に表示することができるようにして、ユーザが、各接続機器間の接続経路を、リモコン等を用いて容易に設定することができるようにしたものが知られている（例えば、特許文献１参照）。また、条件設定側の機器で設定した条件の状況を大画面を有する表示装置に一画面で表示すると共に、この表示装置が条件設定側の機器から受信した設定条件の状況を随時割り込み表示するものが知られている（例えば、特許文献２参照）。さらにまた、複数の種類の放送信号の受信が可能な受信装置において、予約スタンバイ状態であっても、受信部から出力された信号による画像や音声の視聴をすることができるようにしたものが知られている（例えば、特許文献３参照）。
【０００５】
けれども、上記特許文献１乃至３に示される発明では、上記の問題を解決することができない。
【特許文献１】特開平６−２２５２３４号公報
【特許文献２】特開２０００−２７８７７４号公報
【特許文献３】特開２００１−２５７９５１号公報
【発明の開示】
【発明が解決しようとする課題】
【０００６】
本発明は、上記の問題を解決するためになされたものであり、自機で再生した特定の種類の映像信号を外部機器に正常に出力することができない場合でも、ユーザが、ライン出力用のケーブルや外部機器等に故障が発生したために、外部機器に正常に出力することができないのか、元々の仕様で該当の種類の映像信号をライン出力することができないようになっているために、外部機器に正常に出力することができないのかを容易に判別することが可能なモニタ装置と一体型の映像再生装置を提供することを目的とする。
【課題を解決するための手段】
【０００７】
上記目的を達成するために請求項１の発明は、複数の種類の映像信号を再生する再生手段と、再生手段により再生可能な複数の種類の映像信号の中から、再生対象となる一種類の映像信号の選択操作をするための信号選択手段と、信号選択手段により選択された映像信号に基づいて原色信号を再生する色再生回路と、色再生回路により再生された原色信号に文字等の映像信号を重畳させるオンスクリーンディスプレイ手段と、色再生回路により再生された原色信号、又はオンスクリーンディスプレイ手段により文字等の映像信号を重畳させられた後の原色信号を表示するモニタ装置と、信号選択手段により選択された映像信号をライン出力するライン出力手段と、信号選択手段により選択された映像信号を、モニタ装置だけに出力するか、又はモニタ装置とライン出力手段に出力するかを切り替えると共に、信号選択手段により選択された特定の種類の映像信号のみをモニタ装置又は／及びライン出力手段に出力する信号制御手段と、装置全体の制御を行う制御手段とを備えた、モニタ装置と一体型の映像再生装置において、ライン出力手段により映像信号がライン出力されているときに、信号制御手段は、映像信号がライン出力されているという情報を制御手段に通知し、制御手段は、信号制御手段から通知された映像信号がライン出力されているという情報と、信号選択手段により選択された映像信号の種類とに基いて、どの種類の映像信号が出力されているかという情報をオンスクリーンディスプレイ手段によりモニタ装置上に表示するものである。
【０００８】
請求項２の発明は、複数の種類の映像信号を再生する再生手段と、再生手段により再生可能な複数の種類の映像信号の中から、再生対象となる一種類の映像信号の選択操作をするための信号選択手段と、信号選択手段により選択された映像信号に基づいて原色信号を再生する色再生回路と、色再生回路により再生された原色信号を表示するモニタ装置と、信号選択手段により選択された映像信号をライン出力するライン出力手段と、信号選択手段により選択された映像信号を、ライン出力手段に出力するか否かを切り替えると共に、信号選択手段により選択された特定の種類の映像信号のみをライン出力手段に出力する信号制御手段と、装置全体の制御を行う制御手段とを備えた、モニタ装置と一体型の映像再生装置において、ライン出力手段により映像信号がライン出力されているときに、制御手段は、どの種類の映像信号が出力されているかという情報を出力するものである。
【０００９】
請求項３の発明は、請求項２に記載の映像再生装置において、色再生回路により再生された原色信号に文字等の映像信号を重畳させるオンスクリーンディスプレイ手段をさらに備え、制御手段は、どの種類の映像信号が出力されているかという情報をオンスクリーンディスプレイ手段によりモニタ装置上に出力表示するものである。
【００１０】
請求項４の発明は、請求項２に記載の映像再生装置において、再生手段により再生可能な複数の種類の映像信号のうち、どの種類の映像信号が出力されているかという情報を表示するためのＬＥＤ（Light-Emitting Diode）部をさらに備え、制御手段は、出力されている映像信号の種類に応じて、ＬＥＤ部の表示内容を変更するものである。
【００１１】
請求項５の発明は、請求項２に記載の映像再生装置において、制御手段による制御に基いて音声を出力する音声出力手段をさらに備え、制御手段は、どの種類の映像信号が出力されているかという情報を音声出力手段により音声で出力するものである。
【発明の効果】
【００１２】
請求項１の発明によれば、映像信号がライン出力されているときに、どの種類の映像信号が出力されているかという情報が、オンスクリーンディスプレイ手段によりモニタ装置上に表示される。従って、ユーザは、この映像再生装置で再生可能な映像信号をライン出力しようとする度に、モニタ装置を見て、上記の情報を確認することにより、この映像再生装置で再生可能な映像信号のうち、どの種類の映像信号をライン出力することができる仕様になっているかを容易に知ることができる。これにより、この映像再生装置で再生した特定の種類の映像信号を外部機器に正常に出力することができない場合でも、ユーザが、ライン出力用のケーブルや外部機器等に故障が発生したために、外部機器に正常に出力することができないのか、元々の仕様で該当の種類の映像信号をライン出力することができないようになっているために、外部機器に正常に出力することができないのかを容易に判別することができる。
【００１３】
請求項２の発明によれば、映像信号がライン出力されているときに、制御手段が、どの種類の映像信号が出力されているかという情報を出力するようにした。この情報をモニタ装置やスピーカやプリンタ等に出力することにより、上記請求項１と同等の効果を得ることができる。
【００１４】
請求項３の発明によれば、どの種類の映像信号が出力されているかという情報が、オンスクリーンディスプレイ手段によりモニタ装置上に出力表示されるので、上記請求項１と同等の効果を得ることができる。
【００１５】
請求項４の発明によれば、出力されている映像信号の種類に応じて、ＬＥＤ部の表示内容が変更されるので、上記請求項１と同等の効果を得ることができる。
【００１６】
請求項５の発明によれば、どの種類の映像信号が出力されているかという情報が音声出力手段により音声で出力されるので、上記請求項１と同等の効果を得ることができる。
【発明を実施するための最良の形態】
【００１７】
本発明を実施するための最良の形態について図面を参照して説明する。本発明は、モニタ装置と一体型の映像再生装置に関するものであり、映像信号がライン出力されているときに、どの種類の映像信号が出力されているかという情報を表示することができるようにしたものである。以下の実施形態では、テレビジョン放送信号に加えて、ＤＶＤ（Digital Versatile Disc）とＶＣＲ（Video Cassette Recorder）の映像信号を再生する機能を有する、モニタ装置と一体型の映像再生装置に、本発明を適用した場合の例について説明する。なお、以下に記載した実施形態は、本発明を網羅するものではなく、本発明は、下記の形態だけに限定されない。
【００１８】
図１は、第１の実施形態によるモニタ装置と一体型の映像再生装置（以下、映像再生装置と略す）の電気的ブロック構成を示す。この映像再生装置１は、テレビジョン受像機とＤＶＤプレーヤとＶＣＲプレーヤとを組み合わせたコンビネーションタイプの映像再生装置であり、放送局から配信されるテレビジョン放送信号や外部入力信号に加えて、自機で再生したＤＶＤ映像・音声信号やＶＣＲ映像・音声信号を内蔵のモニタ装置２に出力することができ、また、自機で受信したテレビジョン放送信号や自機で再生したＶＣＲ映像・音声信号を外部機器にライン出力することができる。映像再生装置１は、アンテナ２０を介して受信したテレビジョン放送信号の中からリモコン３（信号選択手段）を用いてユーザにより選択されたチャンネルの放送信号を抽出するためのチューナ６と、チューナ６で取り出された映像と音声の中間周波信号を増幅する映像中間周波増幅回路７と、ＶＣＲ映像・音声信号の再生を行うＶＣＲ再生部８と、ＤＶＤ映像・音声信号の再生を行うＤＶＤ再生部９とを有している。チューナ６、映像中間周波増幅回路７、ＶＣＲ再生部８及びＤＶＤ再生部９は、請求項における再生手段に相当する。
【００１９】
また、映像再生装置１は、装置全体の制御を行うマイクロプロセッサ４（制御手段）と信号制御回路５（信号制御手段）とを有している。信号制御回路５は、インプットセレクタの機能を持ち、上記の映像中間周波増幅回路７、ＶＣＲ再生部８、ＤＶＤ再生部９、及び外部入力端子１０から入力された映像・音声信号のうち、リモコン３を用いてユーザにより選択された特定の種類の映像・音声信号のみを入力信号として受け付けると共に、これらの映像・音声信号をモニタ装置２だけに出力するか、又はモニタ装置２とライン出力端子１５（ライン出力手段）とに出力するかを切り替える。
【００２０】
さらにまた、映像再生装置１は、信号制御回路５から送られた映像信号に基づいて原色信号を再生する色再生回路１１と、この色再生回路１１により再生された原色信号に文字情報等の映像信号を重畳させるオンスクリーンディスプレイ部１４（以下、ＯＳＤ部という）と、信号制御回路５から送られた音声信号を増幅して、モニタ装置２内蔵のスピーカ１７に出力する音声回路１２とを有している。ＯＳＤ部１４により重畳させられる文字情報には、どの種類の映像・音声信号がライン出力されているかをユーザに知らせるためのメッセージ（例えば、図２に示される「ＶＣＲ出力あり」というメッセージ）が含まれる。ＯＳＤ部１４は、請求項におけるオンスクリーンディスプレイ手段に相当する。
【００２１】
映像再生装置１は、上記の各部材に加えて、メモリ１３とＲＯＭ１６とリモコン信号受信部１８とを有している。メモリ１３は、ＯＳＤ部１４により色信号に重畳させられるメッセージ等の各種データを記憶している。ＲＯＭ１６は、マイクロプロセッサ４により実行される各種プログラム等を格納している。また、リモコン信号受信部１８は、リモコン３から送信された赤外線信号を受信する。
【００２２】
上記のリモコン３は、各種のキーからなるキー部３４と赤外線信号発信部３１とを有している。キー部３４には、電源キー３３、数字入力用のキー３５、カーソル移動キー３６及び確定キー３７に加えて、各種メニューを表示するためのメニューキー３２が配設されている。ユーザは、上記のメニューキー３２とカーソル移動キー３６と確定キー３７とを用いることにより、映像中間周波増幅回路７、ＶＣＲ再生部８、ＤＶＤ再生部９、及び外部入力端子１０から入力された映像・音声信号の中から、再生対象となる一種類の映像・音声信号の選択操作を行うことができると共に、これらの映像・音声信号をモニタ装置２だけに出力するか、又はモニタ装置２とライン出力端子１５とに出力するかを切り替えることができる。
【００２３】
上記の構成において、ユーザが、上記のメニューキー３２とカーソル移動キー３６と確定キー３７とを用いて、映像中間周波増幅回路７、ＶＣＲ再生部８、ＤＶＤ再生部９、及び外部入力端子１０より入力された映像・音声信号の中から、例えば、ＶＣＲ再生部８より入力された映像・音声信号を再生対象となる映像・音声信号として選択した上で、さらにメニューキー３２とカーソル移動キー３６と確定キー３７とを用いて、ＶＣＲ再生部８より入力された映像・音声信号をモニタ装置２とライン出力端子１５とに出力するように設定操作すると、信号制御回路５は、ＶＣＲ再生部８より入力された映像・音声信号のみを入力信号として受け付けて、ＶＣＲ再生部８から入力された映像信号と音声信号とをそれぞれ色再生回路１１と音声回路１２とに出力すると共に、これらの信号をライン出力端子１５より外部機器にライン出力するように設定される。このリモコン３上の各種キーを用いた信号制御回路５の設定操作は、リモコン信号受信部１８とマイクロプロセッサ４とを介して行われる。マイクロプロセッサ４は、この信号制御回路５の設定操作が行われた際に、リモコン３上の各種キーを用いて選択された映像・音声信号の種類の情報をメモリ１３に記憶しておく。
【００２４】
上記の状態で、ユーザが、リモコン３を用いてビデオ再生を開始するように操作すると、マイクロプロセッサ４は、ＶＣＲ再生部８に映像信号と音声信号の再生を実行するように指示する。そして、ＶＣＲ再生部８が映像信号と音声信号の再生を開始すると、信号制御回路５が、ＶＣＲ再生部８からの映像信号と音声信号とをそれぞれ色再生回路１１と音声回路１２とに出力すると共に、これらの信号をライン出力端子１５より外部機器にライン出力する。また、信号制御回路５は、ＶＣＲ再生部８からの映像・音声信号をライン出力端子１５より外部機器にライン出力している間は、映像・音声信号がライン出力されているという情報をマイクロプロセッサ４に通知する。マイクロプロセッサ４は、信号制御回路５から通知された映像・音声信号がライン出力されているという情報と、信号制御回路５の設定操作の際にメモリ１３上に記憶しておいた、選択された映像・音声信号の種類の情報（この場合は、ＶＣＲ）とに基いて、ＶＣＲ再生部８からの映像・音声信号がライン出力されているということを検知する。そして、どの種類の映像・音声信号がライン出力されているかをユーザに知らせるためのメッセージ（文字情報）を、メモリ１３から読み出して、読み出した文字情報を、ＯＳＤ部１４を用いて本来の映像信号に重畳させてモニタ装置２の画面２１上に表示する。上記のように、ＶＣＲ再生部８からの映像・音声信号がライン出力されている場合には、上記のメッセージは、図２に示される「ＶＣＲ出力あり」というメッセージになる。
【００２５】
また、映像中間周波増幅回路７からの映像・音声信号がライン出力されている場合には、上記のメッセージは、「ＴＶ出力あり」というメッセージになる。ところが、第１の実施形態による映像再生装置１は、ＤＶＤ再生部９や外部入力端子１０から入力された映像・音声信号をライン出力できない仕様になっているので、「ＤＶＤ出力あり」というメッセージや「外部入力信号出力あり」というメッセージを表示することはない。
【００２６】
上記のように、第１の実施形態による映像再生装置１によれば、映像・音声信号がライン出力されているときに、どの種類の映像・音声信号が出力されているかという情報（メッセージ）が、ＯＳＤ部１４によりモニタ装置２の画面２１上に表示される。従って、ユーザは、この映像再生装置１で再生可能な映像・音声信号をライン出力しようとする度に、モニタ装置２を見て、上記の情報を確認することにより、この映像再生装置１で再生可能な映像・音声信号のうち、どの種類の映像・音声信号をライン出力することができる仕様になっているかを容易に知ることができる。これにより、この映像再生装置１で再生した特定の種類の映像・音声信号を外部機器に正常に出力することができない場合でも、ユーザが、ライン出力用のケーブルや外部機器等に故障が発生したために、外部機器に正常に出力することができないのか、元々の仕様で該当の種類の映像・音声信号をライン出力することができないようになっているために、外部機器に正常に出力することができないのかを容易に判別することができる。
【００２７】
次に、図３を参照して、第２の実施形態による映像再生装置１について説明する。第２の実施形態の映像再生装置１は、図に示されるように、第１の実施形態の映像再生装置１と同様な回路に加えて、どの種類の映像・音声信号が出力されているかという情報を表示するためのＬＥＤ（Light-Emitting Diode）部４１を有している。第１の実施形態では、どの種類の映像・音声信号が出力されているかという情報（メッセージ）を、ＯＳＤ部１４によりモニタ装置２の画面２１上に表示したが、第２の実施形態では、どの種類の映像・音声信号が出力されているかという情報を、上記のＬＥＤ部４１を用いて表示する。
【００２８】
上記の構成において、ユーザが、リモコン３を用いて、映像・音声信号の種類の選択を含む、信号制御回路５の設定操作を行うと、マイクロプロセッサ４は、第１の実施形態の場合と同様に、選択された映像・音声信号の種類の情報をメモリ１３に記憶する。そして、ＶＣＲ再生部８が映像信号と音声信号の再生を開始すると、信号制御回路５が、ＶＣＲ再生部８からの映像信号と音声信号とをそれぞれ色再生回路１１と音声回路１２とに出力すると共に、これらの信号をライン出力端子１５より外部機器にライン出力する。信号制御回路５は、ＶＣＲ再生部８からの映像・音声信号をライン出力端子１５より外部機器にライン出力している間は、映像・音声信号がライン出力されているという情報をマイクロプロセッサ４に通知する。マイクロプロセッサ４は、信号制御回路５から通知された映像・音声信号がライン出力されているという情報と、信号制御回路５の設定操作の際にメモリ１３に記憶しておいた、選択された映像・音声信号の種類の情報（この場合は、ＶＣＲ）とに基いて、ＶＣＲ再生部８からの映像・音声信号がライン出力されているということを検知する。そして、マイクロプロセッサ４は、ライン出力されている映像・音声信号の種類に応じて、上記のＬＥＤ部４１の表示内容を変更する。
【００２９】
例えば、上記のように、ＶＣＲ再生部８からの映像・音声信号をライン出力端子１５から外部機器にライン出力している間は、マイクロプロセッサ４は、図４に示されるように、ＶＣＲ映像・音声信号に対応したＬＥＤ５２を点灯させる。また、映像中間周波増幅回路７からの映像・音声信号をライン出力端子１５から外部機器にライン出力している間は、マイクロプロセッサ４は、テレビジョン放送信号に対応したＬＥＤ５１を点灯させる。ところが、第２の実施形態による映像再生装置１は、ＤＶＤ再生部９及び外部入力端子１０から入力された映像・音声信号をライン出力できない仕様になっているので、ＬＥＤ部４１には、ＤＶＤ映像・音声信号や外部入力信号に対応したＬＥＤは存在しない。
【００３０】
上記のように、第２の実施形態による映像再生装置１によれば、映像・音声信号がライン出力されているときに、マイクロプロセッサ４は、ライン出力されている映像・音声信号の種類に応じて、上記のＬＥＤ部４１の表示内容を変更する。従って、ユーザは、この映像再生装置１で再生可能な映像・音声信号をライン出力しようとする度に、モニタ装置２を見て、上記の情報を確認することにより、この映像再生装置１で再生可能な映像・音声信号のうち、どの種類の映像・音声信号をライン出力することができる仕様になっているかを容易に知ることができる。これにより、この映像再生装置１で再生した特定の種類の映像・音声信号を外部機器に正常に出力することができない場合でも、ユーザが、ライン出力用のケーブルや外部機器等に故障が発生したために、外部機器に正常に出力することができないのか、元々の仕様で該当の種類の映像・音声信号をライン出力することができないようになっているために、外部機器に正常に出力することができないのかを容易に判別することができる。
【００３１】
なお、本発明は、上記実施形態に限られるものではなく、様々な変形が可能である。例えば、上記の各実施形態では、本発明の適用対象となる映像再生装置が、テレビジョン受像機とＤＶＤプレーヤとＶＣＲプレーヤとを組み合わせたコンビネーションタイプの映像再生装置である場合の例を示したが、本発明の適用対象となる映像再生装置は、これに限られず、例えば、テレビジョン受像機とＤＶＤプレーヤとを組み合わせた映像再生装置であってもよいし、また、テレビジョン受像機とＶＣＲプレーヤとを組み合わせた映像再生装置であってもよい。また、本発明の適用対象となる映像再生装置は、必ずしも映像信号と音声信号の両方を再生可能なものである必要はなく、映像信号と音声信号のいずれか一方のみを再生可能なものであってもよい。
【００３２】
さらにまた、上記第１の実施形態では、映像・音声信号がライン出力されているときに、どの種類の映像・音声信号が出力されているかというメッセージをモニタ装置２の画面２１上に表示したが、映像・音声信号がライン出力されているときに、どの種類の映像・音声信号が出力されているかというメッセージを、スピーカを介して音声で出力するようにしてもよいし、プリンタに出力するようにしてもよい。
【図面の簡単な説明】
【００３３】
【図１】本発明の第１の実施形態による映像再生装置の電気的ブロック構成図。
【図２】上記映像再生装置のＶＣＲ再生部からの映像・音声信号がライン出力されている場合に、モニタ装置に表示されるメッセージを示す図。
【図３】本発明の第２の実施形態による映像再生装置の電気的ブロック構成図。
【図４】上記映像再生装置のＶＣＲ再生部からの映像・音声信号がライン出力されている場合におけるＬＥＤ部の表示を示す図。
【符号の説明】
【００３４】
１    映像再生装置（モニタ装置と一体型の映像再生装置）
２    モニタ装置
３    リモコン（信号選択手段）
４    マイクロプロセッサ（制御手段）
５    信号制御回路（信号制御手段）
６    チューナ（再生手段）
７    映像中間周波増幅回路（再生手段）
８    ＶＣＲ再生部（再生手段）
９    ＤＶＤ再生部（再生手段）
１１  色再生回路
１４  ＯＳＤ部（オンスクリーンディスプレイ手段）
１５  ライン出力端子（ライン出力手段）
【図１】
2006025197.tif 000003
【図２】
2006025197.tif 000004
【図３】
2006025197.tif 000005
【図４】
2006025197.tif 000006